(57)【要約】【課題】複数の画面を用いて訴求力のある広告を提供することを可能とする広告システム及び広告方法を提供する。【解決手段】端末は、チャンネルと日時の組み合わせとコンテンツテーブルとの対応関係を記述したチャンネルテーブルをコントロールサーバからダウンロードし、各時刻にその時刻と選択されたチャンネルの組み合わせに対応したコンテンツテーブルをコントロールサーバからダウンロードする。そして、端末はコンテンツテーブルに記述されている画面毎の複数のコンテンツをダウンロードし、人体センサ２２１−ｉが人体を検出したならば、その人体センサの傍らにある画面２２２−ｉにコンテンツを表示する。【選択図】　　　　図６
2004102714.tif 000002
【特許請求の範囲】
【請求項１】
端末と、コントロールサーバと、配信サーバとを備え、場所とコンテンツとの間の対応関係を記述したコンテンツテーブルと、チャンネル及び日時の組み合わせと前記コンテンツテーブルとの間の対応関係を記述したチャンネルテーブルとを用いた広告システムにおいて、
前記端末が、
前記チャンネルテーブルの送信の要求をコントロールサーバに送信する手段と、
前記チャンネルテーブルを前記コントロールサーバから受信する手段と、
チャンネルの選択を入力する手段と、
現在の日時が前記受信したチャンネルテーブルにおいて前記選択されているチャンネルと組み合わされている何れかの日時と一致したときに、前記受信したチャンネルテーブルにおいて前記選択されているチャンネル及び現在の日時の組み合わせに対応付けられているコンテンツテーブルの送信の要求を前記コントロールサーバに送信する手段と、
前記コンテンツテーブルを前記コントロールサーバから受信する手段と、
前記受信したコンテンツテーブルに記述されているコンテンツの要求を配信サーバに送信する手段と、
前記コンテンツを前記配信サーバから受信する手段と、
ある場所に設置された人体センサが人体を検出したときに、前記受信したコンテンツテーブルにおいてその場所に対応付けられており、前記配信サーバから受信したコンテンツをその場所に設置された出力装置に出力する手段とを備え、
前記コントロールサーバが、
前記端末から前記チャンネルテーブルの送信の要求を受信する手段と、
前記要求されたチャンネルテーブルを前記端末に送信する手段と、
前記端末から前記コンテンツテーブルの送信の要求を受信する手段と、
前記要求されたコンテンツテーブルを前記端末に送信する手段とを備え、
前記配信サーバが、
前記端末からコンテンツの送信の要求を受信する手段と、
前記要求されたコンテンツを前記端末に送信する手段を備えることを特徴とする広告システム。
【請求項２】
端末と、コントロールサーバと、配信サーバとを備え、場所とコンテンツとの間の対応関係を記述したコンテンツテーブルと、チャンネル及び日時の組み合わせと前記コンテンツテーブルとの間の対応関係を記述したチャンネルテーブルとを用いた広告システムにおいて、
前記端末が、
前記チャンネルテーブルの送信の要求をコントロールサーバに送信する手段と、
前記チャンネルテーブルを前記コントロールサーバから受信する手段と、
複数のチャンネルの選択及び選択された各チャンネルと性別・年齢層との対応関係を入力する手段と、
現在の日時が前記受信したチャンネルテーブルにおいて前記選択されている複数のチャンネルと組み合わされている何れかの日時と一致したときに、前記受信したチャンネルテーブルにおいて前記選択されている複数のチャンネル及び現在の日時の組み合わせに対応付けられている複数のコンテンツテーブルの送信の要求を前記コントロールサーバに送信する手段と、
前記コンテンツテーブルを前記コントロールサーバから受信する手段と、
前記受信した複数のコンテンツテーブルに記述されている複数のコンテンツの要求を配信サーバに送信する手段と、
前記複数のコンテンツを前記配信サーバから受信する手段と、
ある場所に設置された人体センサ及び性別・年齢層検出装置が人体及びその人体の主の性別・年齢層を検出したときに、検出した性別・年齢層と対応付けられているチャンネルの前記受信したコンテンツテーブルにおいてその場所に対応付けられており、前記配信サーバから受信したコンテンツをその場所に設置された出力装置に出力する手段とを備え、
前記コントロールサーバが、
前記端末から前記チャンネルテーブルの送信の要求を受信する手段と、
前記要求されたチャンネルテーブルを前記端末に送信する手段と、
前記端末から前記コンテンツテーブルの送信の要求を受信する手段と、
前記要求された複数のコンテンツテーブルを前記端末に送信する手段とを備え、
前記配信サーバが、
前記端末から複数のコンテンツの送信の要求を受信する手段と、
前記要求された複数のコンテンツを前記端末に送信する手段とを備えることを特徴とする広告システム。
【請求項３】
端末と、コントロールサーバと、複数の副配信サーバとを備え、場所とコンテンツとの間の対応関係を記述したコンテンツテーブルと、チャンネル及び日時の組み合わせと前記コンテンツテーブルとの間の対応関係を記述したチャンネルテーブルとを用いた広告システムにおいて、
前記端末が、
前記チャンネルテーブルの送信の要求をコントロールサーバに送信する手段と、
前記チャンネルテーブルを前記コントロールサーバから受信する手段と、
チャンネルの選択を入力する手段と、
現在の日時が前記受信したチャンネルテーブルにおいて前記選択されているチャンネルと組み合わされている何れかの日時と一致したときに、前記受信したチャンネルテーブルにおいて前記選択されているチャンネル及び現在の日時の組み合わせに対応付けられているコンテンツテーブルの送信の要求を前記コントロールサーバに送信する手段と、
前記コンテンツテーブルを前記コントロールサーバから受信する手段と、
前記受信したコンテンツテーブルに記述されているコンテンツの要求を前記選択された副配信サーバに送信する手段と、
前記コンテンツを前記選択された副配信サーバから受信する手段と、
ある場所に設置された人体センサが人体を検出したときに、前記受信したコンテンツテーブルにおいてその場所に対応付けられており、前記配信サーバから受信したコンテンツをその場所に設置された出力装置に出力する手段とを備え、
前記コントロールサーバが、
前記端末から前記チャンネルテーブルの送信の要求を受信する手段と、
前記要求されたチャンネルテーブルを前記端末に送信する手段と、
前記端末から前記コンテンツテーブルの送信の要求を受信する手段と、
前記要求されたコンテンツテーブルであって、複数の副配信サーバのうち何れかの選択した副配信サーバが保持するコンテンツの格納場所を記述したものを前記端末に送信する手段とを備え、
前記副配信サーバが、
前記端末からコンテンツの送信の要求を受信する手段と、
前記要求されたコンテンツを前記端末に送信する手段とを備えることを特徴とする広告システム。
【請求項４】
端末と、コントロールサーバと、配信サーバとを備え、場所とコンテンツとの間の対応関係を記述したコンテンツテーブルと、チャンネル及び日時の組み合わせと前記コンテンツテーブルとの間の対応関係を記述したチャンネルテーブルとを用いた広告システムで用いられる端末において、
前記チャンネルテーブルの送信の要求をコントロールサーバに送信する手段と、
前記チャンネルテーブルを前記コントロールサーバから受信する手段と、
チャンネルの選択を入力する手段と、
現在の日時が前記受信したチャンネルテーブルにおいて前記選択されているチャンネルと組み合わされている何れかの日時と一致したときに、前記受信したチャンネルテーブルにおいて前記選択されているチャンネル及び現在の日時の組み合わせに対応付けられているコンテンツテーブルの送信の要求を前記コントロールサーバに送信する手段と、
前記コンテンツテーブルを前記コントロールサーバから受信する手段と、
前記受信したコンテンツテーブルに記述されているコンテンツの要求を配信サーバに送信する手段と、
前記コンテンツを前記配信サーバから受信する手段と、
ある場所に設置された人体センサが人体を検出したときに、前記受信したコンテンツテーブルにおいてその場所に対応付けられており、前記配信サーバから受信したコンテンツをその場所に設置された出力装置に出力する手段とを備えることを特徴とする端末。
【請求項５】
端末と、コントロールサーバと、配信サーバとを備え、場所とコンテンツとの間の対応関係を記述したコンテンツテーブルと、チャンネル及び日時の組み合わせと前記コンテンツテーブルとの間の対応関係を記述したチャンネルテーブルとを用いた広告システムにおいて用いられる端末において、
前記チャンネルテーブルの送信の要求をコントロールサーバに送信する手段と、
前記チャンネルテーブルを前記コントロールサーバから受信する手段と、
複数のチャンネルの選択及び選択された各チャンネルと性別・年齢層との対応関係を入力する手段と、
現在の日時が前記受信したチャンネルテーブルにおいて前記選択されている複数のチャンネルと組み合わされている何れかの日時と一致したときに、前記受信したチャンネルテーブルにおいて前記選択されている複数のチャンネル及び現在の日時の組み合わせに対応付けられている複数のコンテンツテーブルの送信の要求を前記コントロールサーバに送信する手段と、
前記コンテンツテーブルを前記コントロールサーバから受信する手段と、
前記受信した複数のコンテンツテーブルに記述されている複数のコンテンツの要求を配信サーバに送信する手段と、
前記複数のコンテンツを前記配信サーバから受信する手段と、
ある場所に設置された人体センサ及び性別・年齢層検出装置が人体及びその人体の主の性別・年齢層を検出したときに、検出した性別・年齢層と対応付けられているチャンネルの前記受信したコンテンツテーブルにおいてその場所に対応付けられており、前記配信サーバから受信したコンテンツをその場所に設置された出力装置に出力する手段とを備えることを特徴とする端末。
【請求項６】
端末と、コントロールサーバと、複数の副配信サーバとを備え、場所とコンテンツとの間の対応関係を記述したコンテンツテーブルと、チャンネル及び日時の組み合わせと前記コンテンツテーブルとの間の対応関係を記述したチャンネルテーブルとを用いた広告システムにおいて用いられる端末において、
前記チャンネルテーブルの送信の要求をコントロールサーバに送信する手段と、
前記チャンネルテーブルを前記コントロールサーバから受信する手段と、
チャンネルの選択を入力する手段と、
現在の日時が前記受信したチャンネルテーブルにおいて前記選択されているチャンネルと組み合わされている何れかの日時と一致したときに、前記受信したチャンネルテーブルにおいて前記選択されているチャンネル及び現在の日時の組み合わせに対応付けられているコンテンツテーブルの送信の要求を前記コントロールサーバに送信する手段と、
前記コンテンツテーブルを前記コントロールサーバから受信する手段と、
前記受信したコンテンツテーブルに記述されているコンテンツの要求を前記選択された副配信サーバに送信する手段と、
前記コンテンツを前記選択された副配信サーバから受信する手段と、
ある場所に設置された人体センサが人体を検出したときに、前記受信したコンテンツテーブルにおいてその場所に対応付けられており、前記配信サーバから受信したコンテンツをその場所に設置された出力装置に出力する手段とを備えることを特徴とする端末。
【請求項７】
コンピュータを請求項４乃至６のいずれか１項に記載の端末として機能させるためのプログラム。
【請求項８】
場所とコンテンツとの間の対応関係を記述したコンテンツテーブルと、チャンネル及び日時の組み合わせと前記コンテンツテーブルとの間の対応関係を記述したチャンネルテーブルとを用いた広告方法において、
端末が、前記チャンネルテーブルの送信の要求をコントロールサーバに送信するステップと、
前記コントロールサーバが、前記要求されたチャンネルテーブルを前記端末に送信するステップと、
前記端末が、チャンネルの選択を入力するステップと、
前記端末が、現在の日時が前記受信したチャンネルテーブルにおいて前記選択されているチャンネルと組み合わされている何れかの日時と一致したときに、前記受信したチャンネルテーブルにおいて前記選択されているチャンネル及び現在の日時の組み合わせに対応付けられているコンテンツテーブルの送信の要求を前記コントロールサーバに送信するステップと、
前記コントロールサーバが、前記要求されたコンテンツテーブルを前記端末に送信するステップと、
前記端末が、前記受信したコンテンツテーブルに記述されているコンテンツの要求を配信サーバに送信するステップと、
前記配信サーバが、前記要求されたコンテンツを前記端末に送信するステップと、
前記端末が、ある場所に設置された人体センサが人体を検出したときに、前記受信したコンテンツテーブルにおいてその場所に対応付けられており、前記配信サーバから受信したコンテンツをその場所に設置された出力装置に出力するステップと、
を有することを特徴とする広告方法。
【請求項９】
場所とコンテンツとの間の対応関係を記述したコンテンツテーブルと、チャンネル及び日時の組み合わせと前記コンテンツテーブルとの間の対応関係を記述したチャンネルテーブルとを用いた広告方法において、
端末が、前記チャンネルテーブルの送信の要求をコントロールサーバに送信するステップと、
前記コントロールサーバが、前記要求されたチャンネルテーブルを前記端末に送信するステップと、
前記端末が、複数のチャンネルの選択及び選択された各チャンネルと性別・年齢層との対応関係を入力するステップと、
前記端末が、現在の日時が前記受信したチャンネルテーブルにおいて前記選択されている複数のチャンネルと組み合わされている何れかの日時と一致したときに、前記受信したチャンネルテーブルにおいて前記選択されている複数のチャンネル及び現在の日時の組み合わせに対応付けられている複数のコンテンツテーブルの送信の要求を前記コントロールサーバに送信するステップと、
前記コントロールサーバが、前記要求された複数のコンテンツテーブルを前記端末に送信するステップと、
前記端末が、前記受信した複数のコンテンツテーブルに記述されている複数のコンテンツの要求を配信サーバに送信するステップと、
前記配信サーバが、前記要求された複数のコンテンツを前記端末に送信するステップと、
前記端末が、ある場所に設置された人体センサ及び性別・年齢層検出装置が人体及びその人体の主の性別・年齢層を検出したときに、検出した性別・年齢層と対応付けられているチャンネルの前記受信したコンテンツテーブルにおいてその場所に対応付けられており、前記配信サーバから受信したコンテンツをその場所に設置された出力装置に出力するステップと、
を有することを特徴とする広告方法。
【請求項１０】
場所とコンテンツとの間の対応関係を記述したコンテンツテーブルと、チャンネル及び日時の組み合わせと前記コンテンツテーブルとの間の対応関係を記述したチャンネルテーブルとを用いた広告方法において、
端末が、前記チャンネルテーブルの送信の要求をコントロールサーバに送信するステップと、
前記コントロールサーバが、前記要求されたチャンネルテーブルを前記端末に送信するステップと、
前記端末が、チャンネルの選択を入力するステップと、
前記端末が、現在の日時が前記受信したチャンネルテーブルにおいて前記選択されているチャンネルと組み合わされている何れかの日時と一致したときに、前記受信したチャンネルテーブルにおいて前記選択されているチャンネル及び現在の日時の組み合わせに対応付けられているコンテンツテーブルの送信の要求を前記コントロールサーバに送信するステップと、
前記コントロールサーバが、前記要求されたコンテンツテーブルであって、複数の副配信サーバのうち何れかの選択した副配信サーバが保持するコンテンツの格納場所を記述したものを前記端末に送信するステップと、
前記端末が、前記受信したコンテンツテーブルに記述されているコンテンツの要求を前記選択された副配信サーバに送信するステップと、
前記選択された副配信サーバが、前記要求されたコンテンツを前記端末に送信するステップと、
前記端末が、ある場所に設置された人体センサが人体を検出したときに、前記受信したコンテンツテーブルにおいてその場所に対応付けられており、前記配信サーバから受信したコンテンツをその場所に設置された出力装置に出力するステップと、
を有することを特徴とする広告方法。
【発明の詳細な説明】
【０００１】
【発明の属する技術分野】
本発明は、広告システム及び広告方法に関し、特に、インターネット等のネットワークを用いた広告システム及び広告方法に関する。
【０００２】
【従来の技術】
従来、屋外、路上、駅通路、広場等の場所における広告としては、ポスターによる広告が主に用いられている。また、大型画面を用いた広告も登場してきている。
【０００３】
【発明が解決しようとする課題】
しかし、ポスターを用いた広告は、漫然と見られるだけであり訴求力が十分であるとはいえない。また、大型画面を用いた広告でも、動画を用いることができるが、大型画面の前を通過する人々又は大型画面の前の広場にいる人々全体を対象として動画を垂れ流ししているのみであるので、やはり訴求力が十分であるとはいえない。
【０００４】
そこで、本発明は、複数の画面を用いて訴求力のある広告を提供することを可能とする広告システム及び広告方法を提供することを目的とする。
【０００５】
また、本発明は、複数の画面を用いた広告を全国に配信することを可能とする広告システム及び広告方法を提供することを目的とする。
【０００６】
更に、本発明は、多種の広告を全国に配信することを可能とする広告システム及び広告方法を提供することを目的とする。
【０００７】
【課題を解決するための手段】
本発明の第１の観点によれば、端末と、コントロールサーバと、配信サーバとを備え、場所とコンテンツとの間の対応関係を記述したコンテンツテーブルと、チャンネル及び日時の組み合わせと前記コンテンツテーブルとの間の対応関係を記述したチャンネルテーブルとを用いた広告システムにおいて、前記端末が、前記チャンネルテーブルの送信の要求をコントロールサーバに送信する手段と、前記チャンネルテーブルを前記コントロールサーバから受信する手段と、チャンネルの選択を入力する手段と、　現在の日時が前記受信したチャンネルテーブルにおいて前記選択されているチャンネルと組み合わされている何れかの日時と一致したときに、前記受信したチャンネルテーブルにおいて前記選択されているチャンネル及び現在の日時の組み合わせに対応付けられているコンテンツテーブルの送信の要求を前記コントロールサーバに送信する手段と、前記コンテンツテーブルを前記コントロールサーバから受信する手段と、前記受信したコンテンツテーブルに記述されているコンテンツの要求を配信サーバに送信する手段と、前記コンテンツを前記配信サーバから受信する手段と、ある場所に設置された人体センサが人体を検出したときに、前記受信したコンテンツテーブルにおいてその場所に対応付けられており、前記配信サーバから受信したコンテンツをその場所に設置された出力装置に出力する手段とを備え、前記コントロールサーバが、前記端末から前記チャンネルテーブルの送信の要求を受信する手段と、前記要求されたチャンネルテーブルを前記端末に送信する手段と、前記端末から前記コンテンツテーブルの送信の要求を受信する手段と、前記要求されたコンテンツテーブルを前記端末に送信する手段とを備え、前記配信サーバが、前記端末からコンテンツの送信の要求を受信する手段と、前記要求されたコンテンツを前記端末に送信する手段を備えることを特徴とする広告システムが提供される。
【０００８】
本発明の第２の観点によれば、端末と、コントロールサーバと、配信サーバとを備え、場所とコンテンツとの間の対応関係を記述したコンテンツテーブルと、チャンネル及び日時の組み合わせと前記コンテンツテーブルとの間の対応関係を記述したチャンネルテーブルとを用いた広告システムにおいて、前記端末が、前記チャンネルテーブルの送信の要求をコントロールサーバに送信する手段と、前記チャンネルテーブルを前記コントロールサーバから受信する手段と、複数のチャンネルの選択及び選択された各チャンネルと性別・年齢層との対応関係を入力する手段と、現在の日時が前記受信したチャンネルテーブルにおいて前記選択されている複数のチャンネルと組み合わされている何れかの日時と一致したときに、前記受信したチャンネルテーブルにおいて前記選択されている複数のチャンネル及び現在の日時の組み合わせに対応付けられている複数のコンテンツテーブルの送信の要求を前記コントロールサーバに送信する手段と、
前記コンテンツテーブルを前記コントロールサーバから受信する手段と、前記受信した複数のコンテンツテーブルに記述されている複数のコンテンツの要求を配信サーバに送信する手段と、前記複数のコンテンツを前記配信サーバから受信する手段と、ある場所に設置された人体センサ及び性別・年齢層検出装置が人体及びその人体の主の性別・年齢層を検出したときに、検出した性別・年齢層と対応付けられているチャンネルの前記受信したコンテンツテーブルにおいてその場所に対応付けられており、前記配信サーバから受信したコンテンツをその場所に設置された出力装置に出力する手段とを備え、前記コントロールサーバが、前記端末から前記チャンネルテーブルの送信の要求を受信する手段と、
前記要求されたチャンネルテーブルを前記端末に送信する手段と、前記端末から前記コンテンツテーブルの送信の要求を受信する手段と、前記要求された複数のコンテンツテーブルを前記端末に送信する手段とを備え、前記配信サーバが、前記端末から複数のコンテンツの送信の要求を受信する手段と、前記要求された複数のコンテンツを前記端末に送信する手段とを備えることを特徴とする広告システムが提供される。
【０００９】
本発明の第３の観点によれば、端末と、コントロールサーバと、複数の副配信サーバとを備え、場所とコンテンツとの間の対応関係を記述したコンテンツテーブルと、チャンネル及び日時の組み合わせと前記コンテンツテーブルとの間の対応関係を記述したチャンネルテーブルとを用いた広告システムにおいて、前記端末が、前記チャンネルテーブルの送信の要求をコントロールサーバに送信する手段と、前記チャンネルテーブルを前記コントロールサーバから受信する手段と、チャンネルの選択を入力する手段と、現在の日時が前記受信したチャンネルテーブルにおいて前記選択されているチャンネルと組み合わされている何れかの日時と一致したときに、前記受信したチャンネルテーブルにおいて前記選択されているチャンネル及び現在の日時の組み合わせに対応付けられているコンテンツテーブルの送信の要求を前記コントロールサーバに送信する手段と、前記コンテンツテーブルを前記コントロールサーバから受信する手段と、前記受信したコンテンツテーブルに記述されているコンテンツの要求を前記選択された副配信サーバに送信する手段と、前記コンテンツを前記選択された副配信サーバから受信する手段と、ある場所に設置された人体センサが人体を検出したときに、前記受信したコンテンツテーブルにおいてその場所に対応付けられており、前記配信サーバから受信したコンテンツをその場所に設置された出力装置に出力する手段とを備え、前記コントロールサーバが、前記端末から前記チャンネルテーブルの送信の要求を受信する手段と、前記要求されたチャンネルテーブルを前記端末に送信する手段と、前記端末から前記コンテンツテーブルの送信の要求を受信する手段と、前記要求されたコンテンツテーブルであって、複数の副配信サーバのうち何れかの選択した副配信サーバが保持するコンテンツの格納場所を記述したものを前記端末に送信する手段とを備え、前記副配信サーバが、前記端末からコンテンツの送信の要求を受信する手段と、前記要求されたコンテンツを前記端末に送信する手段とを備えることを特徴とする広告システムが提供される。
【００１０】
【発明の実施の形態】
以下、図面を参照して本発明の実施形態について詳細に説明する。
【００１１】
［実施形態１］
図１は、本発明の実施形態１による広告システムの構成を示す概念図である。
【００１２】
図１を参照すると、本実施形態による広告システムは、コントロールサーバ１０２、配信サーバ１０３及び第１〜第ｎのユーザ端末１０４−１〜１０４−ｎを備える。これらは、インターネット１０１により相互に接続されている。
【００１３】
コントロールサーバ１０２は、各ユーザ端末１０４が配信サーバ１０３からダウンロードする広告のコンテンツを決定するためのタイムテーブル及びコンテンツテーブルを保持し、各ユーザ端末１０４からの要求に応じてこれらのテーブルを各ユーザ端末１０４にダウンロードさせる。タイムテーブル及びコンテンツテーブルについては後述する。配信サーバ１０３は、本システムが提供する全ての広告のコンテンツを保持し、各ユーザ端末１０４からの要求に応じて、要求されたコンテンツを各ユーザ端末１０４にダウンロードさせる。各ユーザ端末１０４は、コントロールサーバ１０２からタイムテーブル及び必要なコンテンツテーブルをダウンロードし、コンテンツテーブルに記述されているコンテンツを配信サーバ１０３からダウンロードし、ダウンロードしたコンテンツを一時記憶し、複数設けられている画面のそれぞれに表示する。
【００１４】
図２は、各端末１０４の構成を示すブロック図である。
【００１５】
図２を参照すると、各端末は、本体２０１、外部記憶装置２０９、チャンネル選択装置２１２並びに第１〜第ｍの場所に設けられた第１〜第ｍの人体センサ２２１−１〜２２１−ｍ及び第１〜第ｍの画面２２２−１〜２２２−ｍを備える。人体センサー２２１−１〜２２１−ｍは、赤外線センサ等である。
【００１６】
本体２０１は、一般のパーソナルコンピュータやボードコンピュータと同様のものであり、ＣＰＵ２０２、ＲＡＭ等のメモリ２０３、通信インターフェース２０７、時計２０８及び入出力機器インターフェース２１３を備える。これらはバス２１４を介して相互に接続されている。メモリ２０３には、プログラム記憶領域２０４、チャンネルテーブル記憶領域２０５及びコンテンツテーブル記憶領域２０６が設けられている。なお、チャンネルテーブル記憶領域２０５及びコンテンツテーブル記憶領域２０６は外部記憶装置２０９に設けられていてもよい。本体２０１は、プログラム記憶領域２１０に格納されているプログラムをプログラム記憶領域２０４に転送し、ＣＰＵ２０２がプログラム記憶領域２０４に転送されたプログラムを読み込んで実行することにより下記の動作を行う。通信インターフェース２０７はインターネット１０１を介してコントロールサーバ１０２及び配信サーバ１０３と通信を行うためのインターフェースである。時計２０８は、常に現在日時を保持し、ＣＰＵ２０２が現在日時を把握するために用いられる。入出力インターフェース２１３は、外部記憶装置２０９、チャンネル選択装置２１２、第１〜第ｍの人体センサ２２１−１〜２２１−ｍ及び第１〜第ｍの画面２２２−１〜２２２−ｍとの間のインターフェースである。
【００１７】
次に、本実施形態による広告システムの動作について説明する。
【００１８】
図３は、本実施形態による広告システムの各ユーザ端末１０４、コントロールサーバ１０２及び配信サーバ１０３の間において送受信される信号のシーケンス図である。
【００１９】
図３を参照すると、まず、ユーザ端末１０４が、チャンネルテーブルの送信の要求をコントロールサーバ１０２に送信すると（ステップＳ３０１）、コントロールサーバ１０２は、チャンネルテーブルをユーザ端末１０４に送信する（ステップＳ３０２）。ユーザ端末１０４は受信したチャンネルテーブルをチャンネルテーブル記憶領域２０５に格納する。
【００２０】
図４は、チャンネルテーブルの構成例を示す。チャンネルテーブルは、チャンネル、日付及び時間の組み合わせに対して決まるコンテンツテーブルの一覧表である。
【００２１】
図４を参照すると、チャンネルテーブルの項目は、チャンネル、日付、時間及びＵＲＬである。図４の例では、チャンネルは１から９９９まであり、日付の期間は２００２年７月１日から同月３１日までである。また、時間は０時から２３時までであり、１時間毎に設けられている。
【００２２】
チャンネル数は、理論上は無限であり、コンピュータ資源の許す限り増やすことができる。日付範囲は、図４の例では１月であるが、何日であってもよい。時間は図４の例では０秒の分解能で１時間毎に設けているが、分解能、時間間隔は自由である。
【００２３】
図４の例では、例えば、チャンネル＝１、日付＝２００２年７月１日及び時間＝０時０分０秒の組み合わせに対して決まるコンテンツテーブルは、
ｈｔｔｐ：／／ｗｗｗ．ｋｐｃ−ｃｏｎｔｒｏｌ−ｓｅｒｖｅｒ．ｃｏ．ｊｐ／ｃｈ１／２００２０７０１／ｔａｂｌｅ００００００．ｄａｔ
である。すなわち、チャンネル１を選択した場合に、２００２年７月１日の０時から１時までの間に流すべき広告のリストは、
ｈｔｔｐ：／／ｗｗｗ．ｋｐｃ−ｃｏｎｔｒｏｌ−ｓｅｒｖｅｒ．ｃｏ．ｊｐ／ｃｈ１／２００２０７０１／ｔａｂｌｅ００００００．ｄａｔ
に格納されていることを示す。
【００２４】
端末１０４では、チャンネル選択装置２１２により第１〜第ｍの画面に表示すべき広告のチャンネルの選択がユーザにより入力される。ユーザは図４のチャンネルテーブルの場合には１チャンネルから９９９チャンネルのうちの任意のチャンネルを選択することが可能である。
【００２５】
図３に戻ると、チャンネルテーブルの日付と時間で指定される日時が来る度に、ユーザ端末１０４は、その日時のコンテンツテーブルであって、ユーザにより選択されたチャンネルのものの送信の要求をコントロールサーバ１０２に送信し（ステップＳ３０３、Ｓ３０７、Ｓ３１１）、コントロールサーバ１０２は、要求されたコンテンツテーブルをユーザ端末１０４に送信する（ステップＳ３０４、Ｓ３０８、Ｓ３１２）。ユーザ端末１０４は受信したコンテンツテーブルをコンテンツテーブル記憶領域２０６に格納する。
【００２６】
図５は、コンテンツテーブルの構成例を３つ示す。１つは、チャンネル＝１、日付＝２００２年７月１日及び時刻＝１８時０分０秒の組み合わせについてのものであり、１つは、チャンネル＝２、日付＝２００２年７月１日及び時刻＝１８時０分０秒の組み合わせについてのものであり、１つは、チャンネル＝９９９、日付＝２００２年７月１日及び時刻＝１８時０分０秒の組み合わせについてのものである。
【００２７】
チャンネル＝１、日付＝２００２年７月１日及び時刻＝１８時０分０秒の組み合わせについてのコンテンツテーブルは、例えば、場所１に表示するべきコンテンツ（画像）は、
ｈｔｔｐ：／／ｗｗｗ．ｋｐｃ−ｄｅｌｉｖｅｒｙ−ｓｅｒｖｅｒ．ｃｏ．ｊｐ／ｃｈ１／２００２０７０１／１８００００／ｌｏｃａｔｉｏｎ１．ｈｔｍｌ
によりアクセスでき、場所２に表示するべきコンテンツ（画像）は、
ｈｔｔｐ：／／ｗｗｗ．ｋｐｃ−ｄｅｌｉｖｅｒｙ−ｓｅｒｖｅｒ．ｃｏ．ｊｐ／ｃｈ１／２００２０７０１／１８００００／ｌｏｃａｔｉｏｎ２．ｈｔｍｌ
によりアクセスできることを示す。なお、”ｈｔｍｌ”は、ＨＴＭＬ文書についての拡張子である。
【００２８】
また、チャンネル＝２、日付＝２００２年７月１日及び時刻＝１８時０分０秒の組み合わせについてのコンテンツテーブルは、例えば、場所１に表示するべきコンテンツ（画像）は、
ｈｔｔｐ：／／ｗｗｗ．ｋｐｃ−ｄｅｌｉｖｅｒｙ−ｓｅｒｖｅｒ．ｃｏ．ｊｐ／ｃｈ２／２００２０７０１／１８００００／ｌｏｃａｔｉｏｎ１．ｍｐｇによりアクセスでき、場所２に表示するべきコンテンツ（画像）は、
ｈｔｔｐ：／／ｗｗｗ．ｋｐｃ−ｄｅｌｉｖｅｒｙ−ｓｅｒｖｅｒ．ｃｏ．ｊｐ／ｃｈ２／２００２０７０１／１８００００／ｌｏｃａｔｉｏｎ２．ｍｐｇによりアクセスできるることを示す。なお、”ｍｐｇ”は、ＭＰＥＧ方式により圧縮された動画ファイルについての拡張子である。
【００２９】
更に、チャンネル＝９９９、日付＝２００２年７月１日及び時刻＝１８時０分０秒の組み合わせについてのコンテンツテーブルは、例えば、場所１で出力するべきコンテンツ（音声）は、
ｈｔｔｐ：／／ｗｗｗ．ｋｐｃ−ｄｅｌｉｖｅｒｙ−ｓｅｒｖｅｒ．ｃｏ．ｊｐ／ｃｈ９９９／２００２０７０１／１８００００／ｌｏｃａｔｉｏｎ１．ｍｐ３
によりアクセスでき、場所２で出力するべきコンテンツ（音声）は、
ｈｔｔｐ：／／ｗｗｗ．ｋｐｃ−ｄｅｌｉｖｅｒｙ−ｓｅｒｖｅｒ．ｃｏ．ｊｐ／ｃｈ９９９／２００２０７０１／１８００００／ｌｏｃａｔｉｏｎ２．ｍｐ３
によりアクセスできることを示す。なお、”ｍｐ３”は、ＭＰＥＧ方式により圧縮された音声ファイルについての拡張子である。
【００３０】
図３に戻り、ユーザ端末１０４は、コンテンツテーブルに記述されている全ての場所についてのコンテンツの送信の要求を配信サーバ１０３に送信する（ステップＳ３０５、Ｓ３０９、Ｓ３１３）。これに応答して、配信サーバ１０３は、ユーザ端末１０４に要求のあったコンテンツをユーザ端末１０４に送信する。ユーザ端末１０４は、受信したコンテンツをコンテンツ記憶領域２１１に格納する。
【００３１】
従って、例えば、チャンネル１を選択したユーザ端末１０４は、２００２年７月１日の１８時０分０秒から１９時０分０秒までの間には、
ｈｔｔｐ：／／ｗｗｗ．ｋｐｃ−ｄｅｌｉｖｅｒｙ−ｓｅｒｖｅｒ．ｃｏ．ｊｐ／ｃｈ１／２００２０７０１／１８００００／ｌｏｃａｔｉｏｎ１．ｈｔｍｌ
から
ｈｔｔｐ：／／ｗｗｗ．ｋｐｃ−ｄｅｌｉｖｅｒｙ−ｓｅｒｖｅｒ．ｃｏ．ｊｐ／ｃｈ１／２００２０７０１／１８００００／ｌｏｃａｔｉｏｎ９９．ｈｔｍｌ
までによりアクセスしたコンテンツをコンテンツ記憶領域２１１に格納する。
【００３２】
次に、端末１０４が恒常的に行う動作について説明する。
【００３３】
第１〜第ｍの人体センサ２２１−１〜２２１−ｍ及び第１〜第ｍの画面２２２−１〜２２２−ｍは、例えば、図６に示すように並べられる。並べられる場所は、例えば、繁華街の歩道、駅構内の通路等である。
【００３４】
このように並べられると、人体センサ２２１−１〜２２２―ｍは、図７に示すようなシーケンスで人体を検出する。ＣＰＵ２０２では、プログラム記憶領域２０４に格納されているプログラムにより図８に示すような方法が実行されている。
【００３５】
図８を参照すると、図８に示す方法において、ＣＰＵ２０２は、まず、変数ｉを１とし（ステップＳ４０１）、第ｉの人体センサが人体を検出したか否かを判断し（ステップＳ４０２）、そうであれば第ｉの画面等（スピーカ付き又はスピーカのみであってもよい）への”ｌｏｃａｔｉｏｎ　ｉ．？？？”（？？？＝ｈｔｍｌ，　ｍｐｇ，　ｍｐ３等）のファイルを復号した信号（映像信号及び／又は音声信号）の送信を開始する（ステップＳ４０３）。次に、変数ｉに１を加算し（ステップＳ４０４）、加算後の変数ｉの値が画面等の数ｍを越えていればステップＳ４０１に戻り、そうでなければステップＳ４０２に戻る（ステップＳ４０５）。信号の送信は、マルチプロセス又はマルチスレッドで行われ、同時に複数の画面等に信号を送信することが可能である。
【００３６】
この結果、第１〜第ｍの画面２２２−１〜２２２−ｍには、図７に示すようなシーケンスで映像が表示される。また、映像と共に又は映像の代わりに音声を用いた場合には、同様なシーケンスで音声が出力される。期間Ｔ１〜Ｔｍで表示される映像は、例えば、紙芝居的な連続性等の何らかの関連を相互に有したものである。また、各期間で表示される画面は静止画であっても動画であってもよい。静止画の場合には、”ｌｏｃａｔｉｏｎ　ｉ．ｈｔｍｌ”が用いられ、動画の場合には、”ｌｏｃａｔｉｏｎ
ｉ．ｊｐｇ”が用いられる。
【００３７】
人の歩行速度は個人間でばらつくが、人体の検出時期と映像の表示の開始時期を同期させる上記方法を用いることにより、歩行速度に合わせて画像の表示等を行うことが可能となる。
【００３８】
また、画面に静止画を用いた場合であっても、図７に示すようなシーケンスで画面を表示させることにより、通行人は消えていた画面が情報を表示する画面に変化する様子を知覚して、表示が開始された画面に注意を向けるので、広告の訴求力を高めることができる。
【００３９】
人体センサ及び画面の傍らを通行する人々の通行頻度が多い場合には、１つの映像が終了する前に次の人が通行する場合が生ずるが、この場合には、図９に示すようなシーケンスで人体の検出と映像の表示が行われる。すなわち、１つの映像が終了する前に次の通行人を検出したならば、最初から映像を再表示する。このようにして、誰でも少なくとも映像の最初の部分を見ることができるようになる。従って、映像の最初の部分にインパクトの強い画像を表示しておけば訴求力の低下を最低限に抑えることができる。
【００４０】
図６は、説明のために模式化した図である。図６に示す通りに繁華街の歩道、駅構内の通路等に画面を配置してもよいが、例えば、図１０に示すようにエスカレータに画面を配置してもよい。エスカレータでは、人は歩行に注意を向ける必要が無くなり、他のことに注意を向ける余裕ができるので、エスカレータに画面を配置することにより広告効果を高めることができる。この意味では、歩く歩道に画面を配置しても、同様に広告効果を高めることができる。
【００４１】
また、上述したように、チャンネルテーブルに記述した日時が来るたびにコンテンツテーブル及びコンテンツを端末は受信して格納するので、同一のチャンネルを継続的に使用している場合であっても、その日時が来るたびに、表示する画面を切り替えることができる。これを利用して、例えば、通勤時間には、ビジネスマン向けの広告を画面に表示し、昼間には主婦向けの広告を画面に表示するようにすることもできる。また、ある時間帯には、図１１に示すように店舗Ａへの案内図を画面に表示し、他の時間帯には、図１２に示すように店舗Ｂへの案内図を画面に表示するようにしてもよい。上述したようにチャンネル数は理論的には無限であるので、コントロールサーバ１０２及び配信サーバ１０３により集中管理しながらも、地域に密着したチャンネルも設けることが可能となる。
【００４２】
従って、多数のチャンネルを設け、あるチャンネルを、１乃至複数の全国規模の企業の広告にために用い、あるチャンネルを、例えば、東京密着型の広告のために用い、あるチャンネルをある特定の市のある特定の店舗のために用いるといったチャンネルの用い方をすることができる。どのチャンネルを選択するかはユーザがチャンネル選択装置２１２を用いて決定すればよいので、ユーザ端末は同一の構成で汎用性に富んだものとなる。
【００４３】
［実施形態２］
また、同一の画面が同一の時間帯に、通行する人の年齢層及び／又は性別に応じた映像を表示するようにしてもよい。これは、以下の構成及び動作をとることによりできる。
【００４４】
図２の構成において、第１〜第ｍの人体センサ２２１−１〜２２１―ｍの傍らに通行人の年齢層及び性別を検出する装置を設ける。この検出装置は、例えば、通行人の画像を撮り、身長、髪型、服装、容貌、姿態によって年齢層及び性別を画像処理により判断して、検出結果を入出力機器インターフェース２１３を介してＣＰＵ２０２に通知する。チャンネル選択装置２１２を、同時に複数のチャンネルを選択することができ、かつ、選択した各チャンネルを年齢層及び性別の組み合わせに対応付けることができるものとする。図３のステップＳ３０３〜Ｓ３１４においては、選択された複数のチャンネルについて、コンテンツテーブルの送信の要求の送信、コンテンツテーブルの送信、コンテンツの送信の要求の送信、コンテンツの送信を行う。この結果、コンテンツ記憶領域２１１には、同時に複数のチャンネルのコンテンツが格納される。ＣＰＵ２０２は、図８に示す方法の代わりに図１３に示す方法を実行する。
【００４５】
図１３を参照すると、図１３に示す方法において、ＣＰＵ２０２は、まず、変数ｉを１とし（ステップＳ５０１）、第ｉの人体センサが人体を検出したか否かを判断し（ステップＳ５０２）、そうであればステップＳ５０３〜Ｓ５０５を実行し、そうでなければこれらのステップをスキップする。ステップＳ５０３では、ＣＰＵ２０２は、年齢層及び性別を検出する装置から、検出した人の年齢層及び性別を入力する。次に、ステップＳ５０４では、その年齢層及び性別をチャンネル選択装置２１２に出力し、その年齢層及び性別に対応付けられているチャンネルｊをチャンネル選択装置２１２から入力する。ステップＳ５０５では、第ｉの画面等（スピーカ付き又はスピーカのみであってもよい）へのチャンネルｊの”ｌｏｃａｔｉｏｎ　ｉ．？？？”（？？？＝ｈｔｍｌ，　ｍｐｇ，　ｍｐ３等）のファイルを復号した信号（映像信号及び／又は音声信号）の送信を開始する（ステップＳ５０３）。次に、変数ｉに１を加算し（ステップＳ５０６）、加算後の変数ｉの値が画面等の数ｍを越えていればステップＳ５０１に戻り、そうでなければステップＳ５０２に戻る（ステップＳ５０７）。
【００４６】
このように、同一の画面が同一の時間帯に、通行する人の年齢層及び／又は性別に応じた映像を表示するようにすることにより、きめ細かく各通行人に適合した広告を各通行人に示すことができ、広告効果を高めることができる。
【００４７】
［実施形態３］
各時間帯の最初にコントロールサーバ１０２から各ユーザ端末１０４に送信されるコンテンツテーブルは容量が少ないので、多数のユーザ端末１０４にコンテンツテーブルをほぼ同時に送信することとなっても、コントロールサーバ１０２の処理能力を超えることは無いと考えられるが、配信サーバ１０３から各ユーザ端末１０４に送信されるコンテンツは容量が多いので、多数のユーザ端末１０４にコンテンツをほぼ同時に送信することとなると、配信サーバ１０３の処理能力を超えることが考えられる。この対策として、コンテンツ記憶領域２１１を二重化して、ある時間帯において各端末が片側のコンテンツ記憶領域に保持されているコンテンツを表示している間にその次の時間帯のコンテンツを配信サーバから複数のユーザ端末に時間分散して送信し、各端末で、もう一方のコンテンツ記憶領域に格納することが考えられる。
【００４８】
［実施形態４］
また、他の対策として、副配信サーバを用いる構成をとることが考えられる。図１４は、副配信サーバを備える広告システムの構成を示す概念図である。
【００４９】
本実施形態の広告システムは、図１に示す実施形態１の広告システムに第１の副配信サーバ１０５―１及び第２の副配信サーバ１０５−２を追加したものである。なお、図１４の例では副配信サーバの数を２としているが、この数を他の２を超える値としてもよい。各ユーザ端末１０４は、配信サーバ１０３からコンテンツをダウンロードする代わりに何れかの副配信サーバ１０５からコンテンツをダウンロードする。
【００５０】
コントロールサーバ１０２は、図５に示すコンテンツテーブルの代わりに、図１５に示すコンテンツテーブル及び図１６に示すコンテンツテーブルを保持する。図１５に示すコンテンツテーブルは、配信サーバ１０３の代わりに第１の副配信サーバ１０５−１を指定したものであり、図１６に示すコンテンツテーブルは、配信サーバ１０３の代わりに第２の副配信サーバ１０５−２を指定したものである。
【００５１】
コントロールサーバ１０２は、図３のコンテンツテーブルの送信の要求を各端末１０４から受信したならば（ステップＳ３０３、Ｓ３０７、Ｓ３１１）、図１５に示すコンテンツテーブル及び図１６に示すコンテンツテーブルのうち所定のアルゴリズムにより決定したものを各端末１０４に送信する（ステップＳ３０４、Ｓ３０８、Ｓ３１２）。アルゴリズムとしては、例えば、交互にコンテンツテーブルを切り替えるもの、各副配信サーバ１０５に負荷状況を問い合せ、負荷のより軽い副配信サーバを指定するコンテンツテーブルを選択するもの等が考えられる。
【００５２】
各端末１０４は、コンテンツの送信の要求を配信サーバ１０３に送信する代わりに、コンテンツテーブルに記述されている副配信サーバ１０５に送信し、その副配信サーバ１０５は、コンテンツをその端末１０４に送信する。
【００５３】
［その他の実施形態］
実施形態３及び４とは逆の状況に対応したものであるが、システムが小規模である場合等は、コントロールサーバ及び配信サーバを共通としてもよい。
【００５４】
【発明の効果】
以上説明したように、本発明によれば、人体センサが人体を検出した時にその場所に設置された画面等の出力装置にコンテンツを出力するので、複数の画面を用いて訴求力のある広告を提供することが可能となる。
【００５５】
また、本発明によれば、コントロールサーバ及び配信サーバを用いて各端末にコンテンツ等を配信しているので複数の画面を用いた広告を局所から全国に配信することが可能となる。
【００５６】
更に、本発明によれば、理論上無制限の数のチャンネルのコンテンツを配信サーバに用意し、各端末が希望のチャンネルのコンテンツを選択することができるので、多種の広告を全国に配信することが可能となる。
【図面の簡単な説明】
【図１】本発明の実施形態１による広告システムの構成を示す概念図である。
【図２】本発明の実施形態１による各端末の構成を示すブロック図である。
【図３】本発明の実施形態１による広告システムの各ユーザ端末、コントロールサーバ及び配信サーバの間において送受信される信号のシーケンス図である。
【図４】本発明の実施形態１によるチャンネルテーブルの例を示す図である。
【図５】本発明の実施形態１によるコンテンツテーブルの例を示す図である。
【図６】本発明の実施形態１による画面の配置例１を示す図である。
【図７】本発明の実施形態１による人体検出及び映像表示のシーケンスを示す第１のタイミング図である。
【図８】本発明の実施形態１による端末が恒常的に行う動作を示すフローチャートである。
【図９】本発明の実施形態１による人体検出及び映像表示のシーケンスを示す第２のタイミング図である。
【図１０】本発明の実施形態１による画面の配置例３を示す図である。
【図１１】本発明の実施形態１による画面の配置例２及び映像例１を示す図である。
【図１２】本発明の実施形態１による画面の配置例２及び映像例２を示す図である。
【図１３】本発明の実施形態４による端末が恒常的に行う動作を示すフローチャートである。
【図１４】本発明の実施形態４による広告システムの構成を示す概念図である。
【図１５】本発明の実施形態４によるコンテンツテーブルの例１を示す図である。
【図１６】本発明の実施形態４によるコンテンツテーブルの例２を示す図である。
【符号の説明】
１０１　インターネット
１０２　コントロールサーバ
１０３　配信サーバ
１０４−１〜１０４−ｎ　第１〜第ｎのユーザ端末
１０５−１、１０５−２　第１及び第２の副配信サーバ
２０１　本体
２０２　ＣＰＵ
２０３　メモリ
２０４　プログラム記憶領域
２０５　チャンネルテーブル記憶領域
２０６　コンテンツテーブル記憶領域
２０７　通信インターフェース
２０８　時計
２０９　外部記憶装置
２１０　プログラム記憶領域
２１１　コンテンツ記憶領域
２１２　チャンネル選択装置
２２２−１〜２２２−ｍ　第１〜第ｍの人体センサ
２２２−１〜２２２−ｍ　第１〜第ｍの画面
【図１】
2004102714.tif 000003
【図２】
2004102714.tif 000004
【図３】
2004102714.tif 000005
【図４】
2004102714.tif 000006
【図５】
2004102714.tif 000007
【図６】
2004102714.tif 000008
【図７】
2004102714.tif 000009
【図８】
2004102714.tif 000010
【図９】
2004102714.tif 000011
【図１０】
2004102714.tif 000012
【図１１】
2004102714.tif 000013
【図１２】
2004102714.tif 000014
【図１３】
2004102714.tif 000015
【図１４】
2004102714.tif 000016
【図１５】
2004102714.tif 000017
【図１６】
2004102714.tif 000018